(57)【要約】【課題】空気中の笑気ガスを除去することのできる笑気ガス処理装置を提供する。【解決手段】活性炭カートリッジ２と笑気ガスセンサ３と送風機４とを備えた。活性炭カートリッジ２を交換可能に構成した。活性炭カートリッジ２は、笑気ガス吸着能を高めた活性炭を備えた。笑気ガスを検知して送風機４を起動させ、笑気ガスが検知されなくなると送風機４を停止させるとともに、送風機４の運転時間を積算して、活性炭カートリッジ２の交換時期を報知する制御手段６を備えた。【選択図】図１
2010234248.tif 000002
【特許請求の範囲】
【請求項１】
活性炭カートリッジと笑気ガスセンサと送風機とを備えたことを特徴とする笑気ガス処理装置。
【請求項２】
前記活性炭カートリッジを交換可能に構成したことを特徴とする請求項１記載の笑気ガス処理装置。
【請求項３】
前記活性炭カートリッジは、笑気ガス吸着能を高めた活性炭を備えたことを特徴とする請求項１又は２記載の笑気ガス処理装置。
【請求項４】
笑気ガスを検知して前記送風機を起動させ、笑気ガスが検知されなくなると前記送風機を停止させるとともに、前記送風機の運転時間を積算して、前記活性炭カートリッジの交換時期を報知する制御手段を備えたことを特徴とする請求項１〜３のいずれか１項記載の笑気ガス処理装置。
【請求項５】
笑気ガスを検知して前記送風機を起動させ、笑気ガスが検知されなくなると前記送風機を停止させるとともに、前記活性炭カートリッジの下流側にも笑気ガスセンサを備え、笑気ガスが前記活性炭カートリッジの下流側で検出されたときに、前記活性炭カートリッジの交換時期を報知する制御手段を備えたことを特徴とする請求項１〜３のいずれか１項記載の笑気ガス処理装置。
【発明の詳細な説明】
【技術分野】
【０００１】
本発明は、笑気ガス処理装置に関する。
【背景技術】
【０００２】
笑気ガス（亜酸化窒素、Ｎ２Ｏ）は、第二種有害ガス１５種の中に含まれており、ホスゲンなどと同じ規制を受けている。また、温暖化対策上も環境への排出をできるだけ抑制すべきガスである。しかしながら、笑気ガスの主な用途である病院の手術室では、麻酔ガスとして、密閉された手術場に垂れ流す状態であり、スタッフの被爆は重要な問題である。これにもかかわらず、従来は、医療という緊急避難事態という口実の元に、この問題は放置されたままで、特別の回収や無害化方法は行われていなかった。
【先行技術文献】
【特許文献】
【０００３】
【特許文献１】特開平１１−１１４３４７号公報
【発明の概要】
【発明が解決しようとする課題】
【０００４】
そこで、本発明は、空気中の笑気ガスを除去することのできる笑気ガス処理装置を提供することを目的とする。
【課題を解決するための手段】
【０００５】
本発明の笑気ガス処理装置は、活性炭カートリッジと笑気ガスセンサと送風機とを備えたことを特徴とする。
【０００６】
また、前記活性炭カートリッジを交換可能に構成したことを特徴とする。
【０００７】
また、前記活性炭カートリッジは、笑気ガス吸着能を高めた活性炭を備えたことを特徴とする。
【０００８】
また、笑気ガスを検知して前記送風機を起動させ、笑気ガスが検知されなくなると前記送風機を停止させるとともに、前記送風機の運転時間を積算して、前記活性炭カートリッジの交換時期を報知する制御手段を備えたことを特徴とする。
【０００９】
また、笑気ガスを検知して前記送風機を起動させ、笑気ガスが検知されなくなると前記送風機を停止させるとともに、前記活性炭カートリッジの下流側にも笑気ガスセンサを備え、笑気ガスが前記活性炭カートリッジの下流側で検出されたときに、前記活性炭カートリッジの交換時期を報知する制御手段を備えたことを特徴とする。
【発明の効果】
【００１０】
本発明の笑気ガス処理装置によれば、活性炭カートリッジと笑気ガスセンサと送風機とを備えたことにより、活性炭カートリッジに空気中の笑気ガスを吸着させて除去することができる。
【００１１】
また、前記活性炭カートリッジを交換可能に構成したことにより、常に新しい活性炭カートリッジを使用することができる。
【００１２】
また、前記活性炭カートリッジは、笑気ガス吸着能を高めた活性炭を備えたことにより、笑気ガスを確実に吸着することができる。
【００１３】
また、笑気ガスを検知して前記送風機を起動させ、笑気ガスが検知されなくなると前記送風機を停止させるとともに、前記送風機の運転時間を積算して、前記活性炭カートリッジの交換時期を報知する制御手段を備えたことにより、適宜送風機を停止させて活性炭カートリッジの寿命を延ばすとともに、活性炭カートリッジを適正な時期に交換することができる。
【００１４】
また、笑気ガスを検知して前記送風機を起動させ、笑気ガスが検知されなくなると前記送風機を停止させるとともに、前記活性炭カートリッジの下流側にも笑気ガスセンサを備え、笑気ガスが前記活性炭カートリッジの下流側で検出されたときに、前記活性炭カートリッジの交換時期を報知する制御手段を備えたことにより、活性炭カートリッジの性能が低下したときに、活性炭カートリッジの交換時期であることを報知することができる。
【図面の簡単な説明】
【００１５】
【図１】本発明の笑気ガス処理装置の一実施例を示す構成図である。
【発明を実施するための形態】
【００１６】
以下、本発明の笑気ガス処理装置の一実施例について、添付した図面を参照しながら詳細に説明する。
【実施例１】
【００１７】
本実施例の笑気ガス処理装置の断面の構成を模式的に示した図１を参照しながら、本実施例の笑気ガス処理装置について説明する。
【００１８】
１は、笑気ガス処理装置の本体であり、本体１は、空気中の笑気ガスを吸着するための活性炭カートリッジ２、空気中の笑気ガスを検知するための笑気ガスセンサ３、空気を吸入して活性炭カートリッジ２に通すための送風機４を備えている。なお、従来、笑気ガスを吸着させて除去するものはなかった。
【００１９】
活性炭カートリッジ２は、ゴム製のパッキン５を介して本体１に着脱可能に固定されており、これにより、活性炭カートリッジ２は交換可能に構成されている。また、活性炭カートリッジ２がゴム製のパッキン５を介して固定されることによって、送風機４により本体１に吸入される空気が確実に活性炭カートリッジ２を通過するようになっている。さらに、活性炭カートリッジ２は、特別に笑気ガス吸着能を高めた活性炭を備えている。
【００２０】
６は、笑気ガスセンサ３と送風機４に接続して設けられた制御手段である。制御手段６は、笑気ガスセンサ３が笑気ガスを検知した信号に基づき送風機４を起動させ、一方、笑気ガスセンサ３が笑気ガスを検知した信号を出力しないときには、送風機４を停止させるように構成されている。また、制御手段６は、送風機４の運転時間を積算して、所定の時間が経過したときに音や光を発する報知手段（図示せず）を備えている。そして、この報知手段により、活性炭カートリッジ２の交換時期が報知されるようになっている。
【００２１】
より詳細には、制御手段６は、ＰＩＣ−ＩＣを備えた電子回路からなる。そして、制御手段６は、笑気ガスセンサ３の出力をＰＩＣ−ＩＣの１４ビットアナログ端子からＩＣ内に取り込み、笑気ガスセンサ３の出力が規定値以上になった時間を積分するように構成されている。また、制御手段６は、笑気ガスセンサ３の出力が０、すなわち、笑気ガスが検知されないときは、送風機４のモーターをオフし、笑気ガスセンサ３の出力が規定値以上になると、送風機４のモーターをオンするように構成されている。そして、制御手段６は、笑気ガスセンサ３の出力が規定値以上になった時間の積分値が規定値をこえた時に、報知手段を稼動させるようになっている。このような報知手段としては、例えば、紫外線ランプの交換のために使用時間を積算して表示するランプを使用することができる。
【００２２】
つぎに、作用について説明する。
【００２３】
笑気ガスセンサ３により、空気中の笑気ガスが検知されると、その信号は制御手段６に送られ、その信号に基づき制御手段６は送風機４を起動させる。送風機４によって空気が活性炭カートリッジ２を通過し、空気中の笑気ガスは活性炭カートリッジ２の活性炭に吸着されて除去され、浄化された空気が排出される。
【００２４】
笑気ガスセンサ３により、空気中の笑気ガスが検知されなくなると、笑気ガスの検知信号が笑気ガスセンサ３から出力されなくなり、制御手段６は送風機４を停止させる。
【００２５】
制御手段６は、送風機４の運転時間を積算して、所定の時間が経過したときに報知手段を作動させ、使用者に活性炭カートリッジ２の交換時期を報知する。活性炭は、その製造方法により、ガスの吸着特性や吸着量に大きな差があるが、その吸着量は有限であるので、適当な時期に交換しなければ、ガスを吸着しなくなってしまう。本実施例では、活性炭カートリッジ２の使用寿命がきたら、使用者に活性炭カートリッジ２を交換するようにうながすことにより、笑気ガスの吸着性能が低下することを確実に防止することができる。
【００２６】
以上のように、本実施例の笑気ガス処理装置は、活性炭カートリッジ２と笑気ガスセンサ３と送風機４とを備えたことにより、活性炭カートリッジ２に空気中の笑気ガスを吸着させて除去することができる。
【００２７】
また、前記活性炭カートリッジ２を交換可能に構成したことにより、常に新しい活性炭カートリッジ２を使用することができる。
【００２８】
また、前記活性炭カートリッジ２は、笑気ガス吸着能を高めた活性炭を備えたことにより、笑気ガスを確実に吸着することができる。
【００２９】
また、笑気ガスを検知して前記送風機４を起動させ、笑気ガスが検知されなくなると前記送風機４を停止させるとともに、前記送風機４の運転時間を積算して、前記活性炭カートリッジ２の交換時期を報知する制御手段６を備えたことにより、適宜送風機４を停止させて活性炭カートリッジ２の寿命を延ばすとともに、活性炭カートリッジ２を適正な時期に交換することができる。
【００３０】
なお、本実施例の笑気ガス処理装置は活性炭カートリッジ２を備えているが、空気清浄機にも活性炭を備えたものが知られている。しかしながら、従来の空気清浄機では、活性炭層の脇を通って空気が流れる設計ミスをしていて、その効力は疑わしい。すなわち、活性炭カートリッジを空気取り入れ口に配置したとき、その空気抵抗よりも１００倍以上高い空気抵抗を有する構造で取り入れ口の周りを密封せねばならない。そして、カートリッジはできるだけ低抵抗の構造でなければならない。しかし、従来の空気清浄機はここまで配慮されていない。また、従来の空気清浄機の活性炭は単に袋状の容器に収納されており、目的物質を効率よく吸着することができない。
【００３１】
これに対し、本実施例の笑気ガス処理装置は、活性炭カートリッジ２を備えるとともに、この活性炭カートリッジ２は、取り入れ口の周りをパッキン５により密閉する構造となっているため、空気を確実に活性炭カートリッジ２に通すことができる。
【実施例２】
【００３２】
本実施例では、活性炭カートリジ２の下流側に、笑気ガスセンサ３とは別の第２の笑気ガスセンサ（図示せず）を設けている。そして、制御手段６は、笑気ガスが第２の笑気ガスセンサで検出されたときに報知手段を稼動させるようになっている。このほかの構成は、実施例１と同様である。
【００３３】
この構成において、活性炭カートリッジ２の活性炭に吸着能力があれば、第２の笑気ガスセンサでは笑気ガスが検出されず、第２の笑気ガスセンサの出力信号は０である。一方、活性炭カートリッジ２の活性炭に吸着能力がなくなれば、第２の笑気ガスセンサにて笑気ガスが検出され、第２の笑気ガスセンサから信号が出力される。制御手段６は、この信号に基づき、活性炭カートリッジ２の交換時期を報知する報知手段を作動させる。
【００３４】
なお、本実施例においては、活性炭カートリジ２の下流側において笑気ガスが検知されたときに活性炭カートリッジ２の交換時期を知らせるように構成されているため、実施例１で用いられたＰＩＣ−ＩＣを省略することができる。
【００３５】
このように、本実施例の笑気ガス処理装置は、笑気ガスを検知して前記送風機４を起動させ、笑気ガスが検知されなくなると前記送風機を停止させるとともに、前記活性炭カートリッジの下流側にも笑気ガスセンサを備え、笑気ガスが前記活性炭カートリッジの下流側で検出されたときに、前記活性炭カートリッジの交換時期を報知する制御手段を備えたことにより、活性炭カートリッジの性能が低下したときに、活性炭カートリッジの交換時期であることを報知することができる。
【符号の説明】
【００３６】
２  活性炭カートリッジ
３  笑気ガスセンサ
４  送風機
６  制御手段
【図１】
2010234248.tif 000003